(57)【要約】【解決手段】刃体を有する剃刀ヘッドを刃体の刃先の延設方向Ｙの両側で首振り可能に支持する両支持アーム３と、剃刀ヘッドをその首振りに伴い圧接するプッシャ４とをホルダの頭部２に備えている。両支持アーム３には剃刀ヘッドが首振り方向へ回動し得るように剃刀ヘッドに設けた支持部を支持する外腕部９を設けている。プッシャ４には剃刀ヘッドに設けた圧接部を圧接する外腕部１１を刃体の刃先の延設方向Ｙの両側で設けている。プッシャ４の圧接方向Ｘを含む平面Ｈに対し直交する方向Ｚで両支持アーム３の外腕部９により区画される領域にプッシャ４の両外腕部１１が配置されるように、刃体の刃先の延設方向Ｙの両側で支持アーム３の外腕部９とプッシャ４の外腕部１１とを配置した。【効果】剃刀ヘッドとホルダの頭部２との間において刃体の刃先の延設方向Ｙでのスペースを広くしてシェービングエイドや水や被切断物などの流れを良くすることができる。【選択図】図２
2007068922.tif 000002
【特許請求の範囲】
【請求項１】
刃体を有する剃刀ヘッドを首振り可能に支持する支持アームと、この剃刀ヘッドをその首振りに伴い圧接するプッシャとを備えた首振り式剃刀において、前記支持アームには剃刀ヘッドに設けた支持部を支持する先端部を設けるとともに、前記プッシャには剃刀ヘッドに設けた圧接部を圧接する先端部を設け、この支持アームの先端部とプッシャの先端部とをプッシャの圧接方向を含む平面に対し直交する方向で配置したことを特徴とする首振り式剃刀。
【請求項２】
刃体を有する剃刀ヘッドを刃体の刃先の延設方向の両側で首振り可能に支持する両支持アームと、この剃刀ヘッドをその首振りに伴い圧接するプッシャとをホルダの頭部に備えた首振り式剃刀において、
前記両支持アームには、剃刀ヘッドが首振り方向へ回動し得るように、剃刀ヘッドに設けた支持部を支持する先端部を設けるとともに、前記プッシャには剃刀ヘッドに設けた圧接部を圧接する先端部を刃体の刃先の延設方向の両側で設け、
プッシャの圧接方向を含む平面に対し直交する方向で両支持アームの先端部により区画される領域に前記プッシャの両先端部のうち少なくともその一部が配置されるように、刃体の刃先の延設方向の両側でこの支持アームの先端部とプッシャの先端部とを配置したことを特徴とする首振り式剃刀。
【請求項３】
前記ホルダの頭部の外側において刃体の刃先の延設方向の両側のうち一方の側で互いに並ぶプッシャの先端部及び支持アームの先端部と他方の側で互いに並ぶプッシャの先端部及び支持アームの先端部との間に空隙を設けたことを特徴とする請求項２に記載の首振り式剃刀。
【請求項４】
前記両支持アームは、ホルダの頭部内で互いに開閉動可能に組み込まれ、ホルダの頭部に設けた開口からその頭部の外側へ突出した外腕部を有し、その外腕部が前記支持アームの先端部であり、
前記プッシャは、ホルダの頭部内で移動可能に組み込まれ、ホルダの頭部に設けた開口からその頭部の外側へ突出した外腕部を有し、その外腕部が前記プッシャの先端部である
ことを特徴とする請求項２または請求項３に記載の首振り式剃刀。
【請求項５】
刃体の刃先の延設方向の両側でそれぞれ前記支持アームの外腕部と前記プッシャの外腕部とがホルダの頭部に設けた共通の開口で互いに並べられていることを特徴とする請求項４に記載の首振り式剃刀。
【請求項６】
前記剃刀ヘッドにおいて刃体の刃先の延設方向の両側でそれぞれ支持アームの先端部により支持される支持部とプッシャの先端部により圧接される圧接部とが互いに隣接して並んでいることを特徴とする請求項２から請求項５のうちいずれかの請求項に記載の首振り式剃刀。
【発明の詳細な説明】
【技術分野】
【０００１】
本発明は、刃体を有する剃刀ヘッドを首振り可能に支持する支持アームとこの剃刀ヘッドをその首振りに伴い圧接するプッシャとを備えた首振り式剃刀において、その支持アームとプッシャとの間の位置関係の改良に関するものである。
【背景技術】
【０００２】
下記特許文献１にかかる首振り式剃刀において、支持アームには剃刀ヘッドに設けられた支持部を支持する先端部が設けられ、プッシャには剃刀ヘッドに設けられた圧接部を圧接する先端部が設けられている。
【特許文献１】特公昭５５−２８７１７号公報
【発明の開示】
【発明が解決しようとする課題】
【０００３】
しかし、上記特許文献１では、支持アームの先端部とプッシャの先端部とが刃体の刃先の延設方向に沿って並んでいるため、剃刀ヘッドで支持部及び圧接部を有する側と支持アームの先端部及びプッシャの先端部との間において、刃体の刃先の延設方向でのスペースが狭くなり、シェービングエイドや水や被切断物などの流れが悪くなる問題があった。
【０００４】
この発明は、支持アームの先端部とプッシャの先端部との間の位置関係を改良することにより、剃刀ヘッドで支持部及び圧接部を有する側と支持アームの先端部及びプッシャの先端部との間において、刃体の刃先の延設方向でのスペースを広くし、シェービングエイドや水や被切断物などの流れを良くすることを目的としている。
【課題を解決するための手段】
【０００５】
後記実施形態の図面（図１〜５）の符号を援用して本発明を説明する。
請求項１の発明にかかる首振り式剃刀は、下記のように構成されている。
この首振り式剃刀においては、刃体１９を有する剃刀ヘッド１６を首振り可能に支持する支持アーム３と、この剃刀ヘッド１６をその首振りに伴い圧接するプッシャ４とを備えている。前記支持アーム３には剃刀ヘッド１６に設けた支持部２１を支持する先端部９を設けている。前記プッシャ４には剃刀ヘッド１６に設けた圧接部２２を圧接する先端部１１を設けている。この支持アーム３の先端部９とプッシャ４の先端部１１とをプッシャ４の圧接方向Ｘを含む平面Ｈに対し直交する方向Ｚで配置している。
【０００６】
請求項１の発明では、剃刀ヘッド１６で支持部２１及び圧接部２２を有する側と支持アーム３の先端部９及びプッシャ４の先端部１１との間において、刃体１９の刃先１９ａの延設方向Ｙでのスペースを広くすることができる。
【０００７】
請求項２の発明にかかる首振り式剃刀は、下記のように構成されている。
この首振り式剃刀においては、刃体１９を有する剃刀ヘッド１６を刃体１９の刃先１９ａの延設方向Ｙの両側で首振り可能に支持する両支持アーム３と、この剃刀ヘッド１６をその首振りに伴い圧接するプッシャ４とをホルダ１の頭部２に備えている。前記両支持アーム３には、剃刀ヘッド１６が首振り方向Ｑへ回動し得るように、剃刀ヘッド１６に設けた支持部２１を支持する先端部９を設けている。前記プッシャ４には剃刀ヘッド１６に設けた圧接部２２を圧接する先端部１１を刃体１９の刃先１９ａの延設方向Ｙの両側で設けている。プッシャ４の圧接方向Ｘを含む平面Ｈに対し直交する方向Ｚで両支持アーム３の先端部９により区画される領域に前記プッシャ４の両先端部１１のうち少なくともその一部１１ｂが配置されるように、刃体１９の刃先１９ａの延設方向Ｙの両側でこの支持アーム３の先端部９とプッシャ４の先端部１１とを配置している。
【０００８】
請求項２の発明では、剃刀ヘッド１６で支持部２１及び圧接部２２を有する側とホルダ１の頭部２で支持アーム３の先端部９及びプッシャ４の先端部１１を有する側との間において、刃体１９の刃先１９ａの延設方向Ｙでのスペースを広くすることができる。また、剃刀ヘッド１６を首振り可能に支持する両支持アーム３の先端部９付近でプッシャ４の両先端部１１により剃刀ヘッド１６を圧接しているため、この両支持アーム３の先端部９間の中央部でプッシャの先端部により剃刀ヘッド１６を圧接する場合と比較して、剃刀ヘッド１６を薄くしても剃刀ヘッド１６が撓みにくくなる。
【０００９】
請求項２の発明を前提とする請求項３の発明では、前記ホルダ１の頭部２の外側において刃体１９の刃先１９ａの延設方向Ｙの両側のうち一方の側で互いに並ぶプッシャ４の先端部１１及び支持アーム３の先端部９と他方の側で互いに並ぶプッシャ４の先端部１１及び支持アーム３の先端部９との間に空隙Ｓを設けている。請求項３の発明では、一方の側のプッシャ４の先端部１１及び支持アーム３の先端部９と他方の側のプッシャ４の先端部１１及び支持アーム３の先端部９との間において、刃体１９の刃先１９ａの延設方向Ｙでのスペース（空隙Ｓ）を広くすることができる。また、使用者はその空隙Ｓを通して皮膚面を見ながら使用することができる。
【００１０】
請求項２または請求項３の発明を前提とする請求項４の発明は、下記のように構成されている。
前記両支持アーム３は、ホルダ１の頭部２内で互いに開閉動可能に組み込まれ、ホルダ１の頭部２に設けた開口７からその頭部２の外側へ突出した外腕部９を有している。その外腕部９が前記支持アーム３の先端部である。前記プッシャ４は、ホルダ１の頭部２内で移動可能に組み込まれ、ホルダ１の頭部２に設けた開口７からその頭部２の外側へ突出した外腕部１１を有している。その外腕部１１が前記プッシャ４の先端部である。請求項４の発明では、支持アーム３及びプッシャ４をホルダ１の頭部２内に組み込んだ首振り式剃刀において、請求項２または請求項３の発明の効果を発揮させることができる。
【００１１】
請求項４の発明を前提とする請求項５の発明においては、刃体１９の刃先１９ａの延設方向Ｙの両側でそれぞれ前記支持アーム３の外腕部９と前記プッシャ４の外腕部１１とがホルダ１の頭部２に設けた共通の開口７で互いに並べられている。請求項５の発明では、刃体１９の刃先１９ａの延設方向Ｙでのスペースをより一層広くすることができる。
【００１２】
請求項２から請求項５のうちいずれかの請求項の発明を前提とする請求項６の発明では、前記剃刀ヘッド１６において刃体１９の刃先１９ａの延設方向Ｙの両側でそれぞれ支持アーム３の先端部９により支持される支持部２１とプッシャ４の先端部１１により圧接される圧接部２２とが互いに隣接して並んでいる。例えば、剃刀ヘッド１６において支持部２１と圧接部２２とは凹部２０に設けられている。請求項６の発明では、剃刀ヘッド１６において支持部２１及び圧接部２２を設けている側の構造を簡単にすることができる。
【発明の効果】
【００１３】
本発明は、首振り式剃刀においてシェービングエイドや水や被切断物などの流れを良くすることができる。
【発明を実施するための最良の形態】
【００１４】
以下、本発明の一実施形態にかかる首振り式剃刀について図面を参照して説明する。
図１（ａ）（ｂ）及び図２（ａ）（ｂ）に示すホルダ１はプラスチックにより成形され、このホルダ１の頭部２内には、図２（ｃ）に示すように、金属からなる左右両支持アーム３と、プラスチックからなる二股状のプッシャ４と、プラスチックからなる操作摘み５と、金属からなる圧縮コイルばね６とが組み込まれている。この頭部２の前端部の左右両側には開口７が形成されている。前記左右両支持アーム３は、基端部で頭部２の支軸８を中心に左右方向Ｙへ回動可能に支持され、その基端部から頭部２の前側へ延設されて頭部２の左右両開口７から頭部２の外側へ突出する外腕部９（先端部）を有している。前記プッシャ４は、頭部２の前端部付近で左右両支持アーム３間に配置され、基端部で頭部２に対し前後方向Ｘへ移動可能に支持され、その基端部から左右両支持アーム３側へ延設された内腕部１０と、その左右両内腕部１０から前方へ延びて頭部２の左右両開口７から頭部２の外側へ突出する外腕部１１（先端部）とを有している。前記操作摘み５は、頭部２の後部で前後方向Ｘへ移動可能に支持され、頭部２の後端部から頭部２の外側へ突出している。前記圧縮コイルばね６(弾性体)は、このプッシャ４の基端部と操作摘み５との間に介在され、プッシャ４の基端部を前方へ付勢して頭部２の前端部に圧接させた状態で操作摘み５を後方へ付勢して頭部２の外側へ突出させた非操作状態にするとともに、左右両支持アーム３を操作摘み５を介して付勢して図２（ａ）（ｃ）に示す最開状態にする。この左右両支持アーム３の基端部には当接部１２が形成され、この操作摘み５の左右両側にはこの当接部１２に面する押接部１３が形成されている。この操作摘み５を圧縮コイルばね６の弾性力に抗して前方へ押すと、図２（ｄ）に示すように、操作摘み５の左右両押接部１３が左右両支持アーム３の当接部１２を押して左右両支持アーム３の外腕部９が最開状態から互いに閉じる。この操作摘み５から手を離すと、操作摘み５が前記非操作状態に戻るとともに、左右両支持アーム３の外腕部９が最開状態に戻る。
【００１５】
前記左右両支持アーム３の外腕部９において、それぞれ鉤状端部１４が形成され、この左右両鉤状端部１４には左右方向Ｙへ延びる軸部１４ａが互いに反対向きへ突出している。前記プッシャ４の左右両外腕部１１において、それぞれ圧接端部１５が形成され、この左右両圧接端部１５には上方へ向うに従い後方へ傾斜する圧接面１５ａが形成されている。この左右両圧接端部１５の圧接面１５ａは、この左右両鉤状端部１４の軸部１４ａを互いに結ぶ回動中心線Ｐの付近に位置している。この左右両支持アーム３の外腕部９とプッシャ４の左右両外腕部１１とは、ホルダ１の頭部２の左右両開口７及びその頭部２の前端部の外側で、プッシャ４の圧接方向である前後方向Ｘを含む平面Ｈすなわち左右両支持アーム３の外腕部９を互いに結ぶ平面Ｈに対し直交する上下方向Ｚで互いに隣接して並んでいる。このプッシャ４の左右両外腕部１１は、この左右両支持アーム３の外腕部９の上側に接触するように配置され、左右両支持アーム３の外腕部９に対し接触して相対摺動し得る。このプッシャ４の左右両外腕部１１における左右方向幅Ｗ１１（約３ｍｍ）はこの左右両支持アーム３の外腕部９における左右方向幅Ｗ９（約２ｍｍ）よりも大きくなっている。左右両支持アーム３が剃刀ヘッド１６を支持し得る状態（図２（ａ）（ｃ）に示す最開状態）にある場合、上下方向Ｚで左右両支持アーム３の外腕部９により区画される領域（その外腕部９の外形縁を通って上下方向Ｚへ延びる面の内側空間）の外側に、プッシャ４の左右両外腕部１１のうち左右方向Ｙで相対向する内半分１１ａが配置されているとともに、残りの外半分１１ｂがその領域の内側に入り込んで配置されている。このようにして配置された左右両支持アーム３の外腕部９とプッシャ４の外腕部１１とは、塵などの侵入を防ぐために、共通の開口７で隙間を少なくした状態で互いに並べられてその開口７から外側へ突出している。頭部２の前端部の外側で左右両支持アーム３の外腕部９間とプッシャ４の左右両外腕部１１間とにそれぞれ空隙Ｓが設けられている。この空隙Ｓにおいて左右方向Ｙの寸法については、１５ｍｍ以上が好ましく、この実施形態では約２８ｍｍである。
【００１６】
図２（ａ）（ｃ）に示す最開状態においてプッシャ４の左右両外腕部１１で圧接端部１５の圧接面１５ａは左右両支持アーム３の外腕部９で鉤状端部１４の軸部１４ａを互いに結ぶ回動中心線Ｐの付近に位置しているが、図２（ｄ）に示す閉状態ではこの鉤状端部１４がこの圧接端部１５の前方へ突出する。
【００１７】
図１（ａ）（ｂ）及び図３（ａ）（ｂ）に示す剃刀ヘッド１６においては、組付部材としての刃台１７と天板１８との間で複数（４枚）の刃体１９が挟着されて表側の天板１８で露出し、この刃台１７に形成されたガード１７ａに刃体１９の刃先１９ａが面している。この剃刀ヘッド１６の裏側にある刃台１７で左右方向Ｙ（刃先１９ａの延設方向）の両側にはこのガード１７ａに隣接して凹部２０が形成されている。この凹部２０においては、図５（ａ）（ｂ）（ｃ）にも示すように、底部２０ａから外側へ相対向して延びる両壁面２０ｂ，２０ｃ間でＶ状をなし、これらの壁面２０ｂ，２０ｃと左右方向Ｙで相対向する壁面２０ｄ，２０ｅとで囲まれている。この左右両壁面２０ｄ，２０ｅのうち一方の壁面２０ｅには支持孔２１（支持部）が底部２０ａと隣接して並ぶように形成されている。Ｖ状の両壁面２０ｂ，２０ｃのうち一方の壁面２０ｂの端縁部には圧接部２２が形成されている。この圧接部２２については、支持孔２１を有する凹部２０の外側でその凹部２０に対し隣接して並ぶように形成してもよい。
【００１８】
なお、シェービングエイド２４を台部材２５上に載せたシェービングエイド部材２３が剃刀ヘッド１６に対しガード１７ａに対する反対側で並ぶように配設され、この台部材２５で左右方向Ｙの両側に形成された両腕部２６がこの刃台１７の左右方向Ｙの両側で回動中心部２７により回動可能に支持されている。
【００１９】
前記左右両支持アーム３を互いに閉じた状態でそれらの外腕部９を前記刃台１７の左右両凹部２０に挿入した後、左右両支持アーム３を最開状態にすると、図４（ａ）に示すように、剃刀ヘッド１６がホルダ１の頭部２に対し首振り可能に支持された取付状態となる。この取付状態では、図５（ａ）（ｂ）（ｃ）に示すように、この左右両外腕部９における鉤状端部１４の軸部１４ａが左右両凹部２０の支持孔２１に挿入されて凹部２０内の底部２０ａに載せられた状態で支持されるとともに、前記プッシャ４の左右両外腕部１１における圧接端部１５の圧接面１５ａが左右両凹部２０の圧接部２２に圧接され、この左右両軸部１４ａを互いに結ぶ回動中心線Ｐを中心に剃刀ヘッド１６がシェービングエイド部材２３とともに首振り方向Ｑで後方へ揺動し得る。この剃刀ヘッド１６の首振り角度については０°〜７５°好ましくは０°〜６０°に設定される。なお、図４（ａ）（ｂ）に示すように、このシェービングエイド部材２３は、台部材２５の左右両腕部２６に形成された板ばね２８により付勢されて停止する初期位置Ａから所定回動範囲内でその板ばね２８の弾性力に抗して剃刀ヘッド１６に対し揺動し得る。また、前記左右両支持アーム３を互いに閉じた状態でそれらの外腕部９を前記刃台１７の左右両凹部２０から抜くと、剃刀ヘッド１６をホルダ１の頭部２から取り外すことができる。ちなみに、前記左右両支持アーム３については、操作摘み５を押してもすぐには閉動せず、操作摘み５が不用意に押されて剃刀ヘッド１６がホルダ１の頭部２から取り外されることを防止するため、操作摘み５をある程度押すと閉じるようになっている。このようにして左右両支持アーム３を開閉動させた場合でも、左右両支持アーム３の外腕部９とプッシャ４の外腕部１１とは、前述したように、常に、上下方向Ｚで互いに隣接して並んで接触して相対摺動し得る。
【００２０】
前記実施形態以外に下記のように構成してもよい。
＊  ホルダ１の頭部２と支持アーム３及びプッシャ４とをプラスチックにより一体的に成形する。その際、支持アーム３及びプッシャ４に弾性を持たせる。
【００２１】
＊  左右両支持アーム３の閉状態を維持するようにロック機能を設ける。剃刀ヘッド１６を左右両支持アーム３に支持する際、その剃刀ヘッド１６によりプッシャ４が押されると、左右両支持アーム３がロック解除されて開く。
【００２２】
＊  プッシャ４を左右両側で互いに分離し、それぞれに先端部１１を設ける。
＊  左右両支持アーム３の外腕部９の鉤状端部１４において、左右方向Ｙへ延びる軸部１４ａを互いに対向させて突出させる。また、刃台１７の左右両凹部２０にある支持孔２１もその鉤状端部１４の軸部１４ａの向きに合わせる。その場合には、左右両支持アーム３を互いに開いた状態でそれらの外腕部９を刃台１７の左右両凹部２０に挿入した後、左右両支持アーム３を最閉状態にすると、剃刀ヘッド１６がホルダ１の頭部２に対し首振り可能に支持された取付状態となる。
【００２３】
＊  シェービングエイド部材２３を省略し、剃刀ヘッド１６のみを設ける。
＊  前記実施形態の首振り式剃刀は主に手足の体毛剃りに使用するが、髭剃りに使用することもできる。
【００２４】
次に、請求項以外の技術的思想を述べる。
＊  請求項１から請求項６のうちいずれかの請求項の発明を前提とする第７の発明において、プッシャ４の先端部１１は支持アーム３の先端部９に対し相対摺動し得る。第７の発明では、プッシャ４の先端部１１が支持アーム３の先端部９に支えられるため、プッシャ４の動きを安定させることができる。
【００２５】
＊  請求項１から請求項６のうちいずれかの請求項の発明、または第７の発明を前提とする第８の発明は、下記のように構成されている。
剃刀ヘッド１６においては、組付部材１７，１８に刃体１９を設け、この組付部材１７，１８にガード１７ａをこの刃体１９の刃先１９ａに面して設けている。プッシャ４の先端部１１は、プッシャ４の圧接方向Ｘを含む平面Ｈに対し直交する方向Ｚの両側のうち支持アーム３の先端部９の上側に配置されている。すなわち、プッシャ４の先端部１１はガード１７ａに対し支持アーム３の先端部９よりも遠い位置に配置されている。第８の発明では、支持アーム３の先端部９の下側とガード１７ａとの間にスペースを持たせることができる。
【００２６】
＊  請求項４の発明を前提とする第９の発明は、下記のように構成されている。
両支持アーム３は、剃刀ヘッド１６を支持することができる支持状態（両支持アーム３の開状態）と、剃刀ヘッド１６を支持するために待機する非支持状態（両支持アーム３の閉状態）とを取る。この両支持アーム３の非支持状態では、プッシャ４の両外腕部１１の端部１５に対し両支持アーム３の外腕部９の端部１４がプッシャ４の圧接方向Ｘへ突出している。第９の発明では、この両支持アーム３を非支持状態から支持状態にする際、両支持アーム３の外腕部９の端部１４が見易くなり、その端部１４を剃刀ヘッド１６の支持部２１に支持し易い。
【図面の簡単な説明】
【００２７】
【図１】（ａ）は本実施形態にかかる首振り式剃刀において裏側を示す斜視図であり、（ｂ）は同じく表側を示す斜視図である。
【図２】（ａ）は上記首振り式剃刀において両支持アームを最開状態にしたホルダの頭部を示す平面図であり、（ｂ）は同じく側面図であり、（ｃ）は同じく平面側から見た断面図であり、（ｄ）は上記首振り式剃刀において両支持アームを閉状態にしたホルダの頭部を示す平面図である。
【図３】（ａ）は上記首振り式剃刀において剃刀ヘッド及びシェービングエイド部材の表側を示す正面図であり、（ｂ）は同じく裏側を示す背面図である。
【図４】（ａ）は上記首振り式剃刀においてホルダの頭部に支持した剃刀ヘッドでシェービングエイド部材が初期位置にある状態を示す側面図であり、（ｂ）は同じく回動位置にある状態を示す側面図である。
【図５】（ａ）は上記首振り式剃刀において両支持アームに対する剃刀ヘッドの支持構造と剃刀ヘッドに対するプッシャの圧接構造を示す部分平面図であり、（ｂ）は同じく（ａ）を平面側から見た断面図であり、（ｃ）は同じく（ａ）を側面側から見た断面図である。
【符号の説明】
【００２８】
１…ホルダ、２…ホルダの頭部、３…支持アーム、４…プッシャ、７…頭部の開口、９…支持アームの外腕部（先端部）、１１…プッシャの外腕部（先端部）、１１ｂ…プッシャの外腕部の一部、１６…剃刀ヘッド、１９…刃体、１９ａ…刃先、２１…剃刀ヘッドの支持孔（支持部）、２２…剃刀ヘッドの圧接部、Ｓ…空隙、Ｑ…首振り方向、Ｈ…平面、Ｘ…前後方向（プッシャの圧接方向）、Ｙ…左右方向（刃先の延設方向）、Ｚ…上下方向（平面に直交する方向）。
【図１】
2007068922.tif 000003
【図２】
2007068922.tif 000004
【図３】
2007068922.tif 000005
【図４】
2007068922.tif 000006
【図５】
2007068922.tif 000007